(57)【特許請求の範囲】
【請求項１】
一対の筐体(１)(２)が互いにスライド可能に係合し、一方の筐体(１)に内蔵された電気的構成要素が、フレキシブルリード(３)を介して、他方の筐体(２)に内蔵された電気的構成要素と接続されているスライド式携帯電子機器において、前記他方の筐体(２)には、フレキシブルリード(３)が通過する開口(25)が設けられ、該開口(25)は防水シート(５)によって塞がれており、前記一方の筐体(１)の電気的構成要素から引き出されたフレキシブルリード(３)は、防水シート(５)と前記他方の筐体(２)との接合面間を通過して、前記他方の筐体(２)の電気的構成要素と接続されていることを特徴とするスライド式携帯電子機器。
【請求項２】
前記一方の筐体(１)の電気的構成要素から引き出されたフレキシブルリード(３)は、防水シート(５)の表面に沿って伸びた後に防水シート(５)の表面側から裏面側に折り返され、その先端部が前記開口(25)と重なる領域にて前記他方の筐体(２)の電気的構成要素と接続されている請求項１に記載のスライド式携帯電子機器。
【請求項３】
防水シート(５)は、その基端部が前記他方の筐体(２)に貼着固定される一方、該基端部以外の周縁部が前記他方の筐体(２)と密接可能に対向し、フレキシブルリード(３)は、防水シート(５)の先端部と前記他方の筐体(２)との対向面間を通過した後に防水シート(５)の表面側から裏面側に折り返され、防水シート(５)の基端部以外の周縁部は、前記他方の筐体(２)の組立に伴って該筐体(２)に圧接されている請求項２に記載のスライド式携帯電子機器。
【請求項４】
前記他方の筐体(２)には回路基板(６)が内蔵され、フレキシブルリード(３)の先端部は、回路基板(６)上のコネクター構造(４)を介して、回路基板(６)と接続されている請求項１乃至請求項３の何れかに記載のスライド式携帯電子機器。
【発明の詳細な説明】
【技術分野】
【０００１】
本発明は、スライド式携帯電話機の如く、一対の筐体をスライド可能に係合させてなるスライド式携帯電子機器に関するものである。
【背景技術】
【０００２】
スライド式携帯電話機においては、図９に示す如く、ディスプレイ(83)を具えた表示側筐体(８)と操作キー(99)を具えた操作側筐体(９)とが互いにスライド可能に係合し、表示側筐体(８)のディスプレイ(83)は、フレキシブルリード(７)を介して、操作側筐体(９)内の回路基板(93)と接続されている。
【０００３】
表示側筐体(８)は表示側表面ケース半体(81)と表示側背面ケース半体(82)から構成され、操作側筐体(９)は操作側表面ケース半体(91)と操作側背面ケース半体(92)から構成されている。そして、操作側筐体(９)の操作側表面ケース半体(91)には、フレキシブルリード(３)が通過する開口(97)が設けられている。
【０００４】
表示側筐体(８)の内部から引き出されたフレキシブルリード(７)は、図１０に示す如く、操作側筐体(９)の開口(97)を含む空間内で湾曲した後、操作側筐体(９)に設置された金属板(98)の表面に沿って伸び、更に、操作側表面ケース半体(91)の内面に貼着固定されたスポンジ部材(96)と金属板(98)の対向面間を通過し、その先端部に連結された雄コネクター(71)が、回路基板(93)上の雌コネクター(72)に嵌合している。
【０００５】
又、表示側筐体(８)と操作側筐体(９)の間から入り込んだ水分が、開口(97)を通過して、雄コネクター(71)及び雌コネクター(72)からなるコネクター構造(73)まで侵入することを防止するために、操作側筐体(９)の操作側表面ケース半体(91)には、開口(97)を包囲する開口縁の内、スポンジ部材(96)が貼着されている１辺を除く他の３辺に沿って、金属板(98)の表面に達する高さの防水リブ(95)を突設し、該防水リブ(95)とスポンジ部材(96)によって、開口(97)を包囲する防水壁構造が形成されている(特許文献１参照)。
【特許文献１】特開２００６−１５７４６５号公報［H04M1/02］
【発明の開示】
【発明が解決しようとする課題】
【０００６】
ところで、図１０に示す防水壁構造を採用した場合、回路基板(93)上のコネクター構造(73)は、防水壁構造の内側、即ち開口(97)が形成されている領域Ａの外側に配置する必要がある。
しかしながら、近年、多機能化に伴って回路基板(93)の実装密度が益々高くなっている携帯電話機においては、上記の如く回路基板(93)上のコネクター構造(73)の位置が限定されることは、回路設計に大きな制約を生じる問題があった。
【０００７】
そこで本発明の目的は、回路設計に制約を生じることのない防水構造を具えたスライド式携帯電子機器を提供することである。
【課題を解決するための手段】
【０００８】
本発明に係るスライド式携帯電子機器においては、一対の筐体(１)(２)が互いにスライド可能に係合し、一方の筐体(１)に内蔵された電気的構成要素が、フレキシブルリード(３)を介して、他方の筐体(２)に内蔵された電気的構成要素と接続されている。
ここで、前記他方の筐体(２)には、フレキシブルリード(３)が通過する開口(25)が設けられ、該開口(25)は防水シート(５)によって塞がれており、前記一方の筐体(１)の電気的構成要素から引き出されたフレキシブルリード(３)は、防水シート(５)と前記他方の筐体(２)との接合面間を通過して、前記他方の筐体(２)の電気的構成要素と接続されている。
【０００９】
上記本発明のスライド式携帯電子機器においては、前記他方の筐体(２)に設けられている開口(25)が防水シート(５)によって塞がれているので、該筐体(２)内の開口(25)と重なる領域にて、フレキシブルリード(３)の先端部を該筐体(２)内の電気的構成要素、例えば回路基板(６)上のコネクター構造(４)を介して回路基板(６)と接続することが出来る。
【００１０】
具体的には、前記一方の筐体(１)の電気的構成要素から引き出されたフレキシブルリード(３)は、防水シート(５)の表面に沿って伸びた後に防水シート(５)の表面側から裏面側に折り返され、その先端部が前記開口(25)と重なる領域にて前記他方の筐体(２)の電気的構成要素と接続されている。
従って、本発明のスライド式携帯電子機器によれば、コネクター構造(４)などの接続部の配置に制約を受けることがなく、これによって回路設計の自由度が増大する。
【００１１】
更に具体的な構成において、防水シート(５)は、その基端部が前記他方の筐体(２)に貼着固定される一方、該基端部以外の周縁部が前記他方の筐体(２)と密接可能に対向し、フレキシブルリード(３)は、防水シート(５)の先端部と前記他方の筐体(２)との対向面間を通過した後に防水シート(５)の表面側から裏面側に折り返され、防水シート(５)の基端部以外の周縁部は、前記他方の筐体(２)の組立に伴って該筐体(２)に圧接されている。
【００１２】
該具体的構成を有するスライド式携帯電子機器の組立工程においては、両筐体(１)(２)がフレキシブルリード(３)によって互いに連結されている状態で両筐体(１)(２)を一体に組み立てる際、防水シート(５)がその基端部にて前記一方の筐体(１)から離れる方向に折れ曲がるので、フレキシブルリード(３)の先端部を前記他方の筐体(２)の電気的構成要素と接続するスペースを確保することが可能となり、これによって接続作業が容易となる。
【発明の効果】
【００１３】
本発明に係るスライド式携帯電子機器によれば、回路設計に制約を生じることのない防水構造を実現することが出来る。
【発明を実施するための最良の形態】
【００１４】
以下、本発明をスライド式携帯電話機に実施した形態につき、図面に沿って具体的に説明する。
本発明に係るスライド式携帯電話機は、図１に示す如く、表示側筐体(１)と操作側筐体(２)とを互いにスライド可能に係合させてなり、表示側筐体(１)の表面にはディスプレイ(13)が配備され、操作側筐体(２)の表面にはテンキーを含む複数の操作キー(26)が配備され、表示側筐体(１)を閉じ位置から開き位置までスライドさせることによって、操作キー(26)を操作可能に露出させることが出来る。
【００１５】
表示側筐体(１)は表示側背面ケース半体(11)と表示側表面ケース半体(12)とを互いに接合して構成され、操作側筐体(２)は操作側表面ケース半体(21)と操作側背面ケース半体(22)とを互いに接合させて構成されている。
【００１６】
図５及び図６に示す如く、表示側筐体(１)を構成する表示側背面ケース半体(11)と表示側表面ケース半体(12)との間に、ディスプレイ(13)が設置されている。一方、操作側筐体(２)を構成する操作側表面ケース半体(21)と操作側背面ケース半体(22)の間には、複数の操作キー(26)やカメラ(61)を具えた回路基板(６)が設置され、操作側背面ケース半体(22)の背面には電池(24)の収容室が形成され、該電池収容室は背面パネル(23)によって覆われている。
【００１７】
又、表示側筐体(１)の表示側背面ケース半体(11)には、スライド板(15)と、該スライド板(15)を付勢するバネ(14)とが設置され、該スライド板(15)が操作側筐体(２)の操作側表面ケース半体(21)と連結されて、表示側筐体(１)と操作側筐体(２)の間のスライドと両方向へのバネ付勢が実現されている。
【００１８】
図１の如く、表示側筐体(１)のディスプレイ(13)は、フレキシブルリード(３)を介して、操作側筐体(２)の回路基板(６)と接続されている。具体的には、フレキシブルリード(３)の先端部に連結した雄コネクター(42)が、操作側筐体(２)の回路基板(６)上に設置した雌コネクター(41)と嵌合し、雄コネクター(42)と雌コネクター(41)によってコネクター構造(４)が構成されている。
【００１９】
図５及び図６に示す如く、表示側筐体(１)の表示側背面ケース半体(11)には、フレキシブルリード(３)を挿通させるための開口(16)が設けられると共に、操作側筐体(２)の操作側表面ケース半体(21)には、フレキシブルリード(３)を挿通させるための開口(25)が設けられている。そして、操作側表面ケース半体(21)の開口(25)は、ＰＥＴ製の防水シート(５)によって塞がれている。
【００２０】
図７及び図８に示す如く、防水シート(５)は矩形を呈し、その基端部(52)の１辺が操作側表面ケース半体(21)の内面に貼着固定されている。又、防水シート(５)の他の３辺の周縁部には、操作側表面ケース半体(21)との対向部に、Ｕ字状のスポンジ部材(51)が貼着固定されており、該スポンジ部材(51)は操作側表面ケース半体(21)の内面と対向している。
【００２１】
図２に示す如く、表示側筐体(１)から引き出されたフレキシブルリード(３)は、操作側表面ケース半体(21)の開口(25)を含む空間内でＵ字状に湾曲する湾曲部(32)を有し、湾曲部(32)から先端側は、防水シート(５)の表面に沿って伸びた後、操作側表面ケース半体(21)とスポンジ部材(51)との間を通過し、更に防水シート(５)の表面側から裏面側に１８０度折り返され、その先端部が開口(25)の形成されている領域Ａに達している。そして、該先端部に連結された雄コネクター(42)が回路基板(６)上の雌コネクター(41)と嵌合している。
尚、フレキシブルリード(３)の折り返し部(33)には両面粘着テープ(31)が介在して、フレキシブルリード(３)に折り目を付けている。
【００２２】
上記スライド式携帯電話機においては、図２に鎖線の矢印で示す様に表示側筐体(１)が閉じ位置から開き位置に向かってスライドすると、図中に鎖線で示す様にフレキシブルリード(３)の湾曲部(32)が移動して、表示側筐体(１)と操作側筐体(２)のスライド方向の離間が許容される。
【００２３】
本発明のスライド式携帯電話機においては、コネクター構造(４)が操作側表面ケース半体(21)の開口(25)の形成されている領域Ａの内側に配置されているものの、該開口(25)は防水シート(５)によって塞がれているので、表示側筐体(１)と操作側筐体(２)の間へ水分が入り込んだとしても、防水シート(５)によって操作側筐体(２)内への水分の侵入は阻止され、水分がコネクター構造(４)に達することはない。
従って、回路基板(６)上のコネクター構造(４)の位置は、開口(25)の形成されている領域Ａとの関係によって制限されることはなく、図示の例では開口(25)の形成されている領域Ａの内側にコネクター構造(４)が配置されている。
【００２４】
本発明のスライド式携帯電話機の組立工程においては、図３及び図４に示す如く、表示側背面ケース半体(11)と表示側表面ケース半体(12)と互いに接合して、表示側筐体(１)を組み立てる一方、操作側筐体(２)の操作側表面ケース半体(21)と操作側背面ケース半体(22)とが未だ接合されていない状態で、表示側筐体(１)のディスプレイ(13)から引き出されたフレキシブルリード(３)の先端部に設けられている雄コネクター(42)を、操作側背面ケース半体(22)に設置されている回路基板(６)上の雌コネクター(41)に嵌合せしめる。
【００２５】
この作業においては、フレキシブルリード(３)の長さの余裕の範囲内で、表示側筐体(１)と操作側表面ケース半体(21)とを互いに離間させて、作業のスペースを確保する必要があるが、その離間によって、フレキシブルリード(３)が表示側筐体(１)側から操作側表面ケース半体(21)側へ斜め方向に伸びることとなり、これに伴って、防水シート(５)がその基端部にて操作側背面ケース半体(22)側へ折れ曲がることになる。
従って、防水シート(５)を操作側表面ケース半体(21)から完全に剥がすことなく、雄コネクター(42)を雌コネクター(41)に嵌合させることが出来る。
【００２６】
その後、操作側表面ケース半体(21)と操作側背面ケース半体(22)とを互いに接合して、操作側筐体(２)を組み立てる。この組立に伴って、防水シート(５)は平面状に復帰し、防水シート(５)に貼着されているスポンジ部材(51)が操作側表面ケース半体(21)の内面に圧接される。これによって開口(25)が塞がれ、防水構造が完成することになる。
【００２７】
上記本発明のスライド式携帯電話機によれば、操作側筐体(２)に内蔵されている回路基板(６)上のコネクター構造(４)を、表示側筐体(１)の表示側背面ケース半体(11)に形成されている開口(25)との位置関係に拘束されることなく、自由に配置することが出来るので、回路基板(６)の回路設計の自由度が増し、これによって回路基板(６)の実装密度を上げることが出来る。
【００２８】
尚、本発明の各部構成は上記実施の形態に限らず、特許請求の範囲に記載の技術的範囲内で種々の変形が可能である。例えば上記実施例では、回路基板(６)上のコネクター構造(４)が操作側表面ケース半体(21)の開口(25)の形成領域Ａの内側に配置されているが、これに限らず、該領域Ａの外側に配置することも可能である。
又、上記実施例では、操作側筐体(２)に本発明の防水シート(５)による防水構造を実現しているが、これに替えて表示側筐体(１)に同様の防水構造を与え、或いは表示側筐体(１)と操作側筐体(２)の両方に同様の防水構造を与えることが可能である。
【図面の簡単な説明】
【００２９】
【図１】本発明に係るスライド式携帯電話機の断面図である。
【図２】該スライド式携帯電話機の要部を示す断面図である。
【図３】該スライド式携帯電話機の組立過程の断面図である
【図４】該スライド式携帯電話機の組立過程の要部を示す断面図である。
【図５】該スライド式携帯電話機の分解斜視図である。
【図６】図５とは逆方向から見た該スライド式携帯電話機の分解斜視図である。
【図７】表示側筐体と操作側表面ケース半体と防水シートの分解斜視図である。
【図８】図７とは逆方向から見た防水シートと操作側表面ケース半体と表示側筐体の分解斜視図である。
【図９】従来のスライド式携帯電話機の断面図である。
【図１０】該スライド式携帯電話機の要部を示す断面図である。
【符号の説明】
【００３０】
(１)  表示側筐体
(11)  表示側背面ケース半体
(12)  表示側表面ケース半体
(13)  ディスプレイ
(２)  操作側筐体
(21)  操作側表面ケース半体
(22)  操作側背面ケース半体
(25)  開口
(３)  フレキシブルリード
(４)  コネクター構造
(41)  雌コネクター
(42)  雄コネクター
(５)  防水シート
(51)  スポンジ部材
(６)  回路基板
【図１】
0005094310.tif 000002
【図２】
0005094310.tif 000003
【図３】
0005094310.tif 000004
【図４】
0005094310.tif 000005
【図５】
0005094310.tif 000006
【図６】
0005094310.tif 000007
【図７】
0005094310.tif 000008
【図８】
0005094310.tif 000009
【図９】
0005094310.tif 000010
【図１０】
0005094310.tif 000011